(57)【特許請求の範囲】
【請求項１】
表示器と、その表示器を駆動するための駆動回路が実装される回路基板と、この回路基板と前記表示器とを収納する下側ケースと、その下側ケースの前面開口部に配置され前記表示器を密閉状態で覆う透視可能な透視パネルを備えた上側ケースと、前記下側ケースに設けられ、前記上側ケースと前記下側ケースによって構成される空間部と前記下側ケースの外部側とを連通する通気孔を有する通気部と、を備えてなる表示装置において、前記回路基板は、第１の回路基板と、前記第１の回路基板より前記下ケース側に配置される第２の回路基板と、を積層状態で配設し、前記第２の回路基板は、前記通気部に対応した位置に表裏を連通する貫通孔を有し、前記第１の回路基板は、前記第２の回路基板の貫通孔と同軸上ではない位置に表裏を連通する貫通孔を有してなり、前記通気部は、前記第２の回路基板と間隔を配して設けられ、前記第２の回路基板の貫通孔の内径は、前記通気部の内径よりも大きく形成してなることを特徴とする表示装置。
【発明の詳細な説明】
【技術分野】
【０００１】
本発明は、例えば自動車やオートバイ、建設機械、農耕機械などの車両に搭載される指示計器などの表示器をケース体に収納してなる表示装置に関する。
【背景技術】
【０００２】
従来の車両などに搭載される表示装置として、例えば下記特許文献１に記載されたものが知られている。この表示装置は、指針式の指示計器からなる表示器や液晶表示による表示器と、この表示器の背後に配置される回路基板と、この回路基板の背後側を覆う背面カバー（下側ケース）と、表示器の前面側を覆い表示器の少なくとも表示領域を視認可能な透視カバー（上側ケース）とを備えている。
【０００３】
この際、上側と下側のケースにより覆われた表示器において、前面側に位置した透視カバーの曇り等の発生を抑制するために、密閉状態に覆ってなるケースの内部側である収納空間と外部（外気）とを連通する通気孔が背面カバー（下側ケース）に複数形成され、これらの通気孔を介してケースの内部側と外部側との通気を計るようにしている。
【先行技術文献】
【特許文献】
【０００４】
【特許文献１】特開２００２−３２３３５１号公報
【発明の概要】
【発明が解決しようとする課題】
【０００５】
しかしながら、前述の特許文献１に記載の表示装置にあっては、背面カバー（下側ケース）に複数個の通気孔を設けているのみであるため、背面カバー（下側ケース）と前面側に位置した透視カバー（上側ケース）との間に配置された回路基板によってケース内部の収納空間部が分断されることがある。
【０００６】
すなわち、この種の表示装置にあっては、全体構成において小型化が望まれており、ケースの外観形状、この場合ケースの内面形状にほぼ合わせるように表示器と電気的に接続される回路基板の外形の輪郭が形成され、そのケースの内面部と回路基板の外郭周縁部との隙間をほとんど設けることなく設定しているために、回路基板を基準として、回路基板の表面側と背面側とにケースの内部が区切られる状態となり、回路基板の表面に籠もった熱を背面カバー（下側ケース）側の底部に設けた通気孔を介して外部側へと排気（通気）することができないことがある。
【０００７】
この結果、ケース内にて発せられる熱、例えば回路基板に接続された発熱電子部品やＬＥＤなどの光源などによって温められた空気が通気孔から充分に外部へと排気（通気）することができないことがある。
【０００８】
このようにケースの内部と外部との通気が損なわれてしまうと、外部雰囲気（外気）が冷えている場合、外気と直接的に接している透視カバーは、ケースの内部の温められた空気が透視カバーの内面に触れて冷却される。この際、急激に空気が冷却されることによって空気中の水蒸気が飽和点以下に下がって透視カバーの内面を曇らせてしまう現象が発生してしまいやすいという問題がある。
【０００９】
そこで本発明は、前述の問題点に着目し、表示器とともに回路基板をケース内に収納してなる表示装置において、そのケース内の通気性を高めることにより放熱性を良好にし、ケースの透視カバー内面の曇りを抑えることのできる表示装置と提供することを目的とする。
【課題を解決するための手段】
【００１０】
本発明は前述した課題を解決するため、請求項１では、表示器と、その表示器を駆動するための駆動回路が実装される回路基板と、この回路基板と前記表示器とを収納する下側ケースと、その下側ケースの前面開口部に配置され前記表示器を密閉状態で覆う透視可能な透視パネルを備えた上側ケースと、前記下側ケースに設けられ、前記上側ケースと前記下側ケースによって構成される空間部と前記下側ケースの外部側とを連通する通気孔を有する通気部と、を備えてなる表示装置において、前記回路基板は、第１の回路基板と、前記第１の回路基板より前記下ケース側に配置される第２の回路基板と、を積層状態で配設し、前記第２の回路基板は、前記通気部に対応した位置に表裏を連通する貫通孔を有し、前記第１の回路基板は、前記第２の回路基板の貫通孔と同軸上ではない位置に表裏を連通する貫通孔を有してなり、前記通気部は、前記第２の回路基板と間隔を配して設けられ、前記第２の回路基板の貫通孔の内径は、前記通気部の内径よりも大きく形成してなることを特徴とする表示装置である。
【００１１】
このように構成することにより、ケース（上側のケースと下側のケース）内に収納される回路基板によって分断されやすいケース内部の空間部を、回路基板の表裏を連通する貫通孔を設けたことによって回路基板の表側と裏側とを繋ぐ通気路を形成することができ、これによりケースの内部に溜まりやすい湿気や熱などを連通孔を介して排気することができ、ケース内部の空気の流動性を従来に比べて高めることができ、曇り現象などを未然に回避することができる。また、下側のケースに設けられた通気孔と回路基板に設けられた連通孔との配設位置をほぼ同軸上に合わせることによって、ケース内部と外部との空気の流れをスムースに行うことができ、これによりケース内の熱および湿気などを排出することができる。また、積層された回路基板において、下側ケースに設けられた通気孔と、下側ケース側に配置された回路基板に設けられた連通孔と、を介してケース（上側ケースと下側ケース）の内部側と外部側との空気の流れをスムースに行うことができ、上側ケース側に配置された回路基板側へと外部からの空気を送り込むことができ、結果として上側ケース側に溜まりやすい湿気や熱などを連通孔を介して排気することが可能となり、従来に比べてケース内部の空気の流動性を従来に比べて高めることができる。
【発明の効果】
【００１６】
本発明では、表示器と、その表示器を駆動するための駆動回路が実装される回路基板と、この回路基板と前記表示器とを収納する下側ケースと、その下側ケースの前面開口部に配置され前記表示器を密閉状態で覆う透視可能な透視パネルを備えた上側ケースと、前記下側ケースに設けられ、前記上側ケースと前記下側ケースによって構成される空間部と前記下側ケースの外部側とを連通する通気孔を有する通気部と、を備えてなる表示装置において、前記回路基板には、前記回路基板の表裏を連通する貫通孔を設けてなることを特徴とする表示装置であるため、ケース（上側ケースと下側ケース）内に収納される回路基板によって分断されやすいケース内部の空間部を、回路基板の表裏を連通する貫通孔を設けたことによって回路基板の表側と裏側とを繋ぐ通気路を形成することができ、これによりケースの内部に溜まりやすい湿気や熱などを貫通孔を介して排気することができ、ケース内部の空気の流動性を従来に比べて高めることができ、曇り現象などを未然に回避することができるものであり、これにより初期の目的を達成することができる。
【図面の簡単な説明】
【００１７】
【図１】図１は、本発明の第１の実施形態である表示装置を示す正面図である。
【図２】図２は、図１のＡ−Ａ線箇所の要部を示す断面図である。
【図３】図３は、本発明の第２の実施形態である表示装置を示す断面図である。
【発明を実施するための形態】
【００１８】
本発明の対象とする通気装置構造として、オートバイに搭載される指示計器などの表示器をケース内に収納してなる表示装置を例にして詳述する。
【００１９】
以下本発明の第１の実施形態を添付図面に基づいて説明する。図１および図２は本発明の第１実施形態を示すもので、オートバイなどに搭載されるメータ（表示装置）として、例えば車両のエンジン回転を指示する第１の表示器１と、車速や走行距離や燃料量などの各種走行情報を表示する第２の表示器２と、これらの表示器１，２の背後に配置される回路基板３と、この回路基板３の背後側を覆う背面カバーからなる下側ケース４と、表示器１，２の前面側を覆い表示器１，２の少なくとも表示領域を視認可能な透視カバー５Ａを備えた上側ケース５とを備えている。
【００２０】
また第１の表示器１は、表示板１１上に施された目盛などの指標部１２に対応して指示する指針１３と、この指針１３をエンジンの回転数に応じて駆動する可動磁石式計器またはステッピングモータなどからなる計器本体１４とを有しており、表示板１１の背後には導光部材１５が設けられるとともに、この導光部材１５の受光部箇所に光源１６が配置されている。
【００２１】
第２の表示器２は、前述の各種走行情報をデジタル表示するセグメント形式の液晶パネル２１を備えた表示器からなり、この第２の表示器２とともに前記第１の表示器１とが回路基板３上に配置されている。
【００２２】
回路基板３には、各表示器１，２を駆動するための駆動回路（図示せず）が実装されるとともに、第１，第２の表示器１，２の他に、導光部材１５を介して前記表示板１１上に設けられた指標部１２を透過照明するための光源１６と、前記液晶パネル２１の背後に液晶パネル２１を透過照明するための光源２２が配置されている。
【００２３】
下側ケース４は、主に各表示器１，２の背面側を覆うように前方に開口するもので、不透明な合成樹脂により形成され、各表示器１，２の周囲を取り巻く側壁部４１と、各表示器１，２の背面側を覆う底壁部４２とを有し、この底壁部４２の所定箇所には、下側ケース４の内部（内気）と外部（外気）とを連通する通気孔４３Ａを有する通気部４３が複数形成されている。
【００２４】
なお、それぞれの通気孔４３Ａは、ケース（上側ケース５と下側ケース４）の内部と外部とを連通させるもので、ゴミや塵埃、水滴などの進入を防止するために断面形状が迷路状に形成されている。
【００２５】
また、下側ケース４の内面側に位置した各通気部４３の通気孔４３Ａ箇所には、通気性を有する防水膜Ｆにて覆われているが、通気性は必要とはするものの防塵性あるいは防水性をあまり考慮しなくても良い仕様条件にあっては、このような防水膜Ｆを通気孔４３Ａに貼り付けないこともある。
【００２６】
ところで前述したように本実施形態では、下側ケース４の底壁部４２の適宜箇所には、上側ケース５と下側ケース４によって構成される空間部Ｓとケース（上側ケース５と下側ケース４）の外部側とを連通するための通気孔４３Ａを有する通気部４３が設けられているが、この通気部４３の位置に対応する回路基板３側には、その回路基板３の表裏を連通するための貫通孔３１が設けられている。
【００２７】
この場合、貫通孔３１の内寸は通気部４３の通気孔４３Ａの内径寸法よりは大きい方が空気の流動性を高めることができるため望ましい。
【００２８】
なお、各表示器１，２は回路基板３側と所定の間隔を確保するためにスペーサを兼ねたハウジング６にて支持されている。
【００２９】
以上のよう第１の実施形態によれば、表示器１，２と、その表示器１，２を駆動するための駆動回路が実装される回路基板３と、この回路基板３と表示器１，２とを収納する下側ケース４と、その下側ケース４の前面開口部に配置され表示器１，２を密閉状態で覆う透視可能な透視パネル５Ａを備えた上側ケース５と、下側ケース４に設けられ、上側ケース５と下側ケース４によって構成される空間部Ｓと前記下側ケース４の外部側とを連通する通気孔４３Ａを有する通気部４３と、を備えてなる表示装置において、回路基板３には、回路基板３の表裏を連通する貫通孔３１を設けてなることにより、ケース（上側ケース５と下側ケース４）内に収納される回路基板３によって分断されやすいケース内部の空間部Ｓを、回路基板３の表裏を連通（貫通）する貫通孔３１を設けたことによって回路基板３の表側と裏側とを繋ぐ通気路を形成することができ、これによりケースの内部に溜まりやすい湿気や熱などを貫通孔３１を介して通気孔４３Ａから排気することができ、ケース内部の空気の流動性を従来に比べて高めることができ、曇り現象などを未然に回避することができる。
【００３０】
また本実施形態では、貫通孔３１は、通気孔４３Ａ位置に対応する箇所に設けてなることにより、下側ケース４に設けられた通気孔４３Ａと回路基板３に設けられた貫通孔３１との配設位置をほぼ同軸上に合わせることによって、ケース内部と外部との空気の流れをスムースに行うことができ、これによりケース内の熱および湿気などを排出することができる。なお、本実施形態にあっては、下側ケース４の内面側に位置した通気孔４３Ａ箇所には、通気性を有する防水膜Ｆにて覆うことにより、通気性を確保するとともに防塵性あるいは防水性を良好に維持することができる。
【００３１】
図３は本発明の第２の実施形態を示すものであり、前述した図１および図２に示す第１の実施形態とほぼ同様に形成されている。この第２の実施形態にあっては、前述した第１の実施形態と同様にして、上側ケース５と下側ケース４とからなるケース内に表示器１，２が収納されるとともに、２枚からなる複数の回路基板３Ａ、３Ｂが所定の間隔を配して収納されている。
【００３２】
また下側ケース４の底壁部４２の適宜箇所には、前述した第１の実施形態とほぼ同様にして、上側ケース５と下側ケース４によって構成される空間部Ｓとケース（上側ケース５と下側ケース４）の外部側とを連通するための通気孔４３Ａを有する通気部４３が複数個設けられている。
【００３３】
この際、下側ケース４に近い側に配設された回路基板３Ｂには、通気部４３の位置に対応する箇所に回路基板３の表裏を連通するための貫通孔３１が設けられている。
【００３４】
なお、２枚の回路基板３Ａ，３Ｂは、スペーサを兼ねたハウジング６に設けたボス部６Ａによって位置決めされながら所定の間隔を配して積層配置されるように設けられており、この実施形態にあっては固定部材となるビスｂによって下側ケース４とともに締め付け固定されている。
【００３５】
また、第２の実施形態では、積層配置される複数枚（本実施形態では２枚）からなる回路基板３Ａ，３Ｂにおいて、下側ケース側に近い側に位置した回路基板３Ｂにのみ貫通孔３１を設けていたが、上側ケースに違い側に位置した回路基板３Ａに貫通孔３１を設けるようにしても良いものであり、この際、回路基板３Ｂに設けた貫通孔３１と同軸状に並べて設けたり、回路基板３Ｂに設けた貫通孔３１とは互い違いとなるように回路基板３Ａに貫通孔３１配置するように設けたりすることによって、通気効果を高めることが可能となり、曇り現象などを未然に回避することができる。
【００３６】
以上のように第２の実施形態によれば、回路基板３Ａと回路基板３Ｂとが積層状態で配設され、少なくとも下側ケース４側に位置する回路基板３Ｂに貫通孔３１を設けることにより、積層された回路基板３Ａ，３Ｂにおいて、下側ケース４に設けられた通気孔４３Ａと、下側ケース４側に位置した回路基板３Ｂに設けられた貫通孔３１と、を介してケース（上側ケース５と下側ケース４）の内部側と外部側との空気の流れをスムースに行うことができ、回路基板３Ｂに設けた貫通孔３１によってケースの内部側に位置する回路基板３Ａ側へと外部からの空気を送り込むことができ、結果として上側ケース５側に溜まりやすい湿気や熱などを貫通孔３１を介して排気することが可能となり、従来に比べてケース内部の空気の流動性を従来に比べて高めることができ、透視カバー５Ａの曇り現象を未然に防ぐことができる。
【００３７】
なお本発明は、前記実施形態に限定されるものではなく本発明の要旨の範囲内において種々の変形実施が可能である。例えば各実施形態においては、下側ケース４の底壁部４２の適宜箇所に設けられた通気孔４３Ａを有する通気部４３の位置に対応する回路基板３，３Ｂ側には、その回路基板３，３Ｂの表裏を連通するための貫通孔３１を設けていたが、通気孔４３Ａによる通気部４３の個数に合わせることなく回路基板３，３Ｂに通気部４３の個数より多く貫通孔３１を設けるように構成することによって、ケースの内部側の通気路を形成することができるため、ケース（上側ケースと下側ケース）の内部空間に溜まりやすい湿気や熱などを複数設けた貫通孔３１を介して排気しやすくなり、ケース内部の空気の流動性をさらに高めることが可能となる。
【産業上の利用可能性】
【００３８】
また、前述した実施形態において詳述したように、オートバイにおける表示装置を例にして説明したが、車両用に限らず船舶用計器あるいは農業用機械や建設機械などの表示装置などにおいても適用することが可能であり、同様な効果を得ることができる。
【符号の説明】
【００３９】
１    第１の表示器
２    第２の表示器
３，３Ａ，３Ｂ    回路基板
４    下側ケース
５    上側ケース
５Ａ    透視カバー
６    ハウジング
６Ａ    ボス部
１１    表示板
１２    指標部
１３    指針
１４    計器本体
１５    導光部材
１６，２２    光源
２１    液晶パネル
３１    貫通孔
４１    側壁部
４２    底壁部
４３    通気部
４３Ａ    通気孔
ｂ    ビス
Ｆ    防水膜
Ｓ    空間部
【図１】
0005565185.tif 000002
【図２】
0005565185.tif 000003
【図３】
0005565185.tif 000004